(57)【要約】【課題】  電話機用送受話器において、補聴器を装着した状態で、受話内容が周囲に居る第三者に聞き取られるようなことがなく、かつ受話の音量を低下させることなく補聴器を装着した本人にとっては聞き取り易くする。【解決手段】  受話部６の正面部７に第１の音声放出口７ｂが設けられ、受話部６の上面部１１に第２の音声放出口１１ａが設けられている。スピーカ２１が内蔵されスピーカ孔１８を有するホルダー１５は受話部６内を回動自在に支持され、健聴者が使用する場合はスピーカ孔１８を第１の音声放出口７ｂに一致させる。補聴器を装着した人が使用する場合、スピーカ孔１８を第２の音声放出口１１ａに対向させると、ホルダー１５の係合部１９がシャッター１３に係合し第２の音声放出口１１ａが開放される。【選択図】  図４
2008205775.tif 000002
【特許請求の範囲】
【請求項１】
スピーカからの音を外部に放出する第１の音声放出口を正面部に有する受話部を備えた電話機用送受話器において、
前記受話部に第２の音声放出口を設け、
前記受話部内で回動自在に支持され前記スピーカを前記第１および第２の音声放出口のいずれかに選択的に指向させるホルダーと、前記第２の音声放出口を開閉し常時閉塞するシャッターとを備え、
前記ホルダーに、前記スピーカを前記第２の音声放出口に指向させることにより、前記シャッターに係合し第２の音声放出口を開放させる係合部を設けたことを特徴とする電話機用送受話器。
【請求項２】
前記受話部の正面部を、前記ホルダーとの協働によって前記第２の音声放出口側から前記第１の音声放出口側へ漏洩する受話音を遮断する遮断壁としたことを特徴とする請求項１記載の電話機用送受話器。
【請求項３】
前記ホルダーの回動範囲を、前記ホルダーの係合部と前記受話部の正面部および前記シャッターとの係合により規制されることを特徴とする請求項１または２記載の電話機用送受話器。
【発明の詳細な説明】
【技術分野】
【０００１】
本発明は、耳掛け型補聴器を装着したまま使用できる電話機用送受話器に関するものである。
【背景技術】
【０００２】
通常、送受話器を使って通話を行うときは、受話部の音声放出口を耳穴に対向させるようにして受話部を耳に押し当て耳全体を受話部によって覆っている。ところが、耳掛け型補聴器（以下、単に補聴器という）を装着している利用者にとっては、補聴器の音取入れ口が耳の上部に位置しているため、補聴器の音取入れ口と受話部の音声放出口とが一致しなくなるため、音声放出口から放出される音が聞き取りにくいという問題があった。
【０００３】
この問題を解決したものとして、送話部および受話部とこれらを連結する握り部とからなり、握り部にイヤホンを設けるとともに受話部を握り部から分離可能とした送受話器が提案されている。この送受話器では、受話部を分離すると握り部に音声放出穴が形成されることによって、この音声放出穴から送受話器の外部に放出される音を補聴器の音取り入れ口で集音している（例えば、特許文献１参照）。
【特許文献１】特開２００３−８７３８０号公報（段落「００１１」〜「００１６」、図１）
【発明の開示】
【発明が解決しようとする課題】
【０００４】
上述した従来の送受話器においては、受話音を補聴器の音取り入れ口から取り入れる以前に、一旦受話音を音声放出穴から送受話器の外部に放出する構造を採っているため、受話内容が周囲に居る第三者に聞き取られるという問題があった。また、一旦受話音を送受話器外に放出する構造であるため、受話音が周囲に拡散した後に補聴器の音取り入れ口から取り入れるために受話音の音量が低下したり、周囲の雑音が音取り入れ口から入り込むおそれもあり、受話音が聞き取りにくくなるという問題もあった。
【０００５】
本発明は上記した従来の問題に鑑みなされたものであり、その目的とするところは、補聴器を装着した状態で、受話内容が周囲に居る第三者に聞き取られるようなことがなく、かつ受話の音量を低下させることなく補聴器を装着した本人にとっては聞き取り易くした電話機用送受話器を提供するところにある。
【課題を解決するための手段】
【０００６】
この目的を達成するために、請求項１に係る発明は、スピーカからの音を外部に放出する第１の音声放出口を正面部に有する受話部を備えた電話機用送受話器において、前記受話部に第２の音声放出口を設け、前記受話部内で回動自在に支持され前記スピーカを前記第１および第２の音声放出口のいずれかに選択的に指向させるホルダーと、前記第２の音声放出口を開閉し常時閉塞するシャッターとを備え、前記ホルダーに、前記スピーカを前記第２の音声放出口に指向させることにより、前記シャッターに係合し第２の音声放出口を開放させる係合部を設けたものである。
【０００７】
請求項２に係る発明は、請求項１に係る発明において、前記受話部の正面部を、前記ホルダーとの協働によって前記第２の音声放出口側から前記第１の音声放出口側へ漏洩する受話音を遮断する遮断壁としたものである。
【０００８】
請求項３に係る発明は、請求項１または２に係る発明において、前記ホルダーの回動範囲を、前記ホルダーの係合部と前記受話部の正面部および前記シャッターとの係合により規制されるものである。
【発明の効果】
【０００９】
請求項１に係る発明によれば、第２の音声放出口を補聴器の音取入れ口に指向させることができるために、第２の音声放出口から放出された受話音が周囲に漏洩することがないから、補聴器を装着した状態で受話内容が周囲に居る第三者に聞き取られるようなことがない。また、第２の音声放出口から放出された音が周囲に漏洩することがないため、補聴器の音取入れ口に取り入れられる受話音の音量が低下することがなく受話内容が聞き取り易くなる。また、常時、第２の音声放出口を閉塞するシャッターを設けたことにより、塵埃等が受話部内に入り込むようなことがないから、ホルダーの回動動作に支障をきたすようなことがない。また、ホルダーの回動動作によってシャッタが自動的に開閉するため使い勝手が向上する。
【００１０】
請求項２に係る発明によれば、スピーカから第２の音声放出口へ放出される受話音が第１の音声放出口に漏洩することがないから、第２の音声放出口から放出される受話音の音量が低下することがなく受話内容がより一層聞き取りやすくなる。また、受話部の既存の正面部を受話音の漏洩の遮断壁として機能させたことにより、受話音の漏洩を防止できるために、専用の構造を設けたり専用の部品を追加する必要がないため、製造コストを低減させることができる。
【００１１】
請求項３に係る発明によれば、ホルダーの回動範囲を規制する手段が設けられていることにより、スピーカを第１の音声放出口または第２の音声放出口に確実に指向させることができるため使い勝手が向上する。また、シャッターを開閉するためおよびホルダーの回動範囲を規制するために、ホルダーの係合部と受話部の正面部とを利用したことにより、専用の構造を設けたり専用の部品を追加する必要がないため、製造コストを低減させることができる。
【発明を実施するための最良の形態】
【００１２】
以下、本発明の実施の形態を図に基づいて説明する。図１（Ａ）は本発明に係る電話機用送受話器の側面図、同図（Ｂ）は同じく正面図、図２（Ａ）は同じくフロントケースの正面図、同図（Ｂ）はリアーケースの背面図、図３は図１（Ａ）におけるIII 矢視図、図４は図１（Ｂ）におけるIV-IV 線断面図であって、同図（Ａ）は通常の使用状態を示し、同図（Ｂ）は補聴器を耳に装着した人が使用する場合を示し、図５は同じくホルダーを構成するフロントケースの背面図、図６は図５におけるVI-VI 線断面図、図７は同じく電話機用送受話器を使用する際に、補聴器を耳に装着した状態を示す斜視図である。
【００１３】
図１（Ａ）に全体を符号１で示す電話機用送受話器は、共に一面が開口されプラスチックによって浅底状に形成されたフロントケース２とリアーケース３とによって構成されており、これら両ケース２，３の互いの開口を対向させて、ねじ４（図４参照）で両ケース２，３を結合することによって形成される。
【００１４】
フロントケース２の一端部には、図１（Ｂ）に示すように平面視略矩形状に形成された送話部５が設けられており、他端部には平面視略矩形状に形成された受話部６が設けられている。受話部６は、正面部７と、この正面部７を囲むように正面部７の周縁から一体に立設された囲い壁８とによって構成されており、囲い壁８は、左右の側面部９，１０と上面部１１と下面部１２とによって形成されている。
【００１５】
受話部６の正面部７の中央部には、正面視円形で図４に示すようにすり鉢状に形成された耳当部７ａが設けられており、この耳当部７ａの中央部には、図１（Ｂ）に示すように矩形状に形成された第１の音声放出口７ｂが設けられている。受話部６の上面部１１には、図４（Ｂ）に示すように細長い矩形状に形成された第２の音声放出口１１ａが設けられている。
【００１６】
図４において、１３は第２の音声放出口１１ａを開閉するシャッタであって、軸１４を回動中心として回動自在に支持されており、シャッター１３と正面部７との間に懸架された引張りコイルばね（図示せず）の引張力によって、常時第２の音声放出口１１ａを閉塞している。受話部６の一方の側面部１０には、図１（Ａ）に示すように嵌入孔１０ａが設けられており、この嵌入孔１０ａには後述するホルダー１５の摘み２８が嵌入される。リアーケース３の受話部６側の端部の背面部には、図２（Ｂ）に示すように略小判状に形成された操作孔３ａが設けられており、この操作孔３ａからホルダー１５の上部側の一部１５ａが露呈する。
【００１７】
図６において、１５はホルダーであって、共に一面が開口されプラスチックによって形成されたロアーケース１６とアッパーケース１７とによって構成されている。ロアーケース１６は、平面視が図５に示すように小判状の略お椀形に形成されており、底部の中央には、図１（Ｂ）に示すように３個のスリット状に形成されたスピーカ孔１８が設けられている。１９はロアーケース１６の側部に一体に突設された係合部であって、上記したシャッター１３に係合することにより第２の音声放出口１１ａを開放させるとともに、シャッター１３と受話部６の耳当部７ａとの係合によりホルダー１５の回動範囲を規制する。
【００１８】
図６において、２０はスピーカ孔１８の周りに立設されリング状に形成された載置部であって、スピーカ２１が載置される。２２は載置部２０の周りを載置部２０と同心円状に立設されリング状に形成された規制部であって、載置部２０に載置されたスピーカ２１の水平方向の移動を規制する。２３，２３はロアーケース１６の内周壁から立設された係合片であって、中央部に係合孔２３ａが設けられている。図５において、２４はロアーケース１６の開口側の端部から突設され半円柱状に形成された第１の摘み部材であって、後述するようにロアーケース１６とアッパーケース１７とを結合させることにより、アッパーケース１７の第２の摘み部材２７と合体して円柱状に形成される摘み２８を形成する。
【００１９】
図６において、アッパーケース１７は、平面視が小判状の略お椀形に形成されている。２５，２５はアッパーケース１７の中央部から突設された押え片であって、ロアーケース１６とアッパーケース１７とを結合させることにより、ロアーケース１６の載置部２０に載置されたスピーカ２１に対接し、載置部２０と共にスピーカ２１を保持する。２６，２６は押え片２５，２５の左右から突設された被係合片であって、ロアーケース１６とアッパーケース１７との互いの開口端を対接させることにより、被係合片２６の先端に設けた係合爪が係合片２３の係合孔２３ａの上端に係合し、ロアーケース１６とアッパーケース１７とを結合させる。図３において、２７はアッパーケース１７の開口側の端部から突設され半円柱状に形成された第２の摘み部材である。
【００２０】
このように構成されたホルダー１５は、図４に示すように外周部が第１の音声放出口７ｂの端縁および受話部６の囲い壁８の内周面ならびにリアーケース３の操作孔３ａの端縁に対接されることにより、摘み２８を回動中心として図中時計・反時計方向へ回動自在に支持される。この状態で、ホルダー１５の上部側の一部１５ａがリアーケース３の操作孔３ａから外部に露呈し、摘み２８が嵌入孔１０ａから外部に突出している。
【００２１】
摘み２８またはホルダー１５の一部１５ａを指によって操作し、ホルダー１５を図中反時計方向に回動させ係合部９を耳当部７ａに係合させることにより、同図（Ａ）に示すように、ホルダー１５のスピーカ孔１８が受話部６の第１の音声放出口７ｂに一致する。一方、ホルダー１５を図中時計方向に回動させ係合部１９をシャッター１３に係合させることにより、第２の音声放出口１１ａが開放されるとともに、同図（Ｂ）に示すように、ホルダー１５のスピーカ孔１８が受話部６の第２の音声放出口１１ａに対向する。
【００２２】
次に、図７を用いて補聴器を耳に装着した状態を説明する。同図において、符号３０で示すものは耳であって、この耳３０に装着された補聴器３１には、周囲の音を補聴器３１内に取り入れ補聴器３１内に設けられたマイクロホン（図示せず）に集音するための音取入れ口３２が設けられている。この音取入れ口３２は、補聴器３１を耳３０に装着した状態で耳３０の上部に位置付けられる。３３は先端に耳穴に差し込むためのイヤホン３４が設けられたフックであって、マイクロホンに集音され増幅された音がフック３３内に設けられた音道（図示せず）を通ってイヤホン３４から耳３０に伝達される。
【００２３】
次に、上記のように構成された電話機用送受話器１の使用方法について説明する。先ず、補聴器を必要としない人が使用する場合について説明する。この場合は、図４（Ａ）に示すように、ホルダー１５を図中反時計方向に回動させ係合部１９を耳当部７ａに係合させることにより、ホルダー１５のスピーカ孔１８が受話部６の第１の音声放出口７ｂに一致させる。
【００２４】
この状態で、受話部６の第１の音声放出口７ｂを耳穴に対向させるように受話部６の耳当部７ａを耳に当て、正面部７によって耳全体を囲繞するようにして受話を行う。したがって、耳穴に対向した第１の音声放出口７ｂから放出されるスピーカ２１の音が耳に伝達される。このとき、ホルダー１５の外周壁が第２の音声放出口１１ａを覆っており、スピーカ２１との間を遮断しているため、スピーカ２１からの音が第２の音声放出口１１ａに漏洩するようなことがない。このため、第１の音声放出口７ｂから放出される受話音の音量が低下することがなく受話内容が聞き取り易くなる。
【００２５】
次に、耳３０に補聴器３１を装着した人が電話機用送受話器１を使用する場合について説明する。この場合は、同図（Ｂ）に示すように、ホルダー１５を図中時計方向に回動させ係合部１９をシャッター１３に係合させることにより、第２の音声放出口１１ａを開放させるとともに、ホルダー１５のスピーカ孔１８を受話部６の第２の音声放出口１１ａに対向させる。この状態で、受話部６の第１の音声放出口７ｂを耳穴に対向させるように受話部６の耳当部７ａを耳３０に当てることによって、受話部６の第２の音声放出口１１ａが補聴器３１の音取入れ口３２を指向する。したがって、スピーカ２１から放出される音は、第２の音声放出口１１ａから補聴器３１の音取り入れ口３２に取り入れられる。
【００２６】
このように、第２の音声放出口１１ａを補聴器３１の音取入れ口３２に指向させることができることにより、第２の音声放出口１１ａから放出された音が周囲に漏洩することがないから、補聴器３１を装着した状態で受話内容が周囲に居る第三者に聞き取られるようなことがない。また、第２の音声放出口１１ａから放出された受話音が周囲に漏洩することがないから、補聴器３１の音取入れ口３２に取り入れられる受話音の音量が低下することがなく受話内容が聞き取り易くなる。
【００２７】
また、このとき、ホルダー１５の外周壁に端面が対接している耳当部７ａが、同図（Ｂ）に示すように、ホルダー１５の外周壁と協働してスピーカ孔１８から放出された音の第１の音声放出口７ｂへの漏洩を遮断する遮断壁として機能する。このため、スピーカ孔１８から第２の音声放出口１１ａへ放出される受話音が第１の音声放出口７ｂに漏洩することがないから、補聴器３１の音取入れ口３２に取り入れられる受話音の音量が低下することがなく受話内容がより一層聞き取り易くなる。
【００２８】
また、受話部６の既存の耳当部７ａを受話音の漏洩の遮断壁として機能させたことにより、受話音の漏洩を防止するために、専用の構造を設けたり専用の部品を追加する必要がないため、製造コストを低減させることができる。また、ホルダー１５の回動範囲を規制するに係合部１９を設けたことにより、スピーカ２１を第１の音声放出口７ｂまたは第２の音声放出口１１ａに確実に指向させることができるため使い勝手が向上する。
【００２９】
また、シャッター１３を開閉するためおよびホルダー１５の回動範囲を規制するために、ホルダー１５に一体に形成した係合部１９と受話部６の耳当部７ａとを利用したことにより、専用の構造を設けたり専用の部品を追加する必要がないため、製造コストを低減させることができる。また、第２の音声放出口１１ａを常時閉塞するシャッター１３を設けたことにより、塵埃等が受話部６内に入り込むようなことがないから、ホルダー１５の回動動作に支障をきたすようなことがない。また、ホルダー１５の回動動作によってシャッタ１３が自動的に開閉するため使い勝手が向上する。
【００３０】
なお、本実施の形態においては、第２の音声放出口１１ａを受話部６の上面部１１に設けたが、必ずしもこの位置に限定されるということではなく、要は第１の音声放出口７ｂを耳穴に指向させた状態で、補聴器の種類に応じて第２の音声放出口１１ａをその補聴器の音取り入れ口に指向させる位置に設ければよい。
【図面の簡単な説明】
【００３１】
【図１】図１（Ａ）は本発明に係る電話機用送受話器の側面図、同図（Ｂ）は同じく正面図である。
【図２】同図（Ａ）は本発明に係る電話機用送受話器におけるフロントケースの正面図、同図（Ｂ）はリアーケースの背面図である。
【図３】図１（Ａ）におけるIII 矢視図である。
【図４】図１（Ｂ）におけるIV-IV 線断面図であって、同図（Ａ）は通常の使用状態を示し、同図（Ｂ）は補聴器を耳に装着した人が使用する場合を示す。
【図５】本発明に係る電話機用送受話器において、ホルダーを構成するフロントケースの背面図である。
【図６】図５におけるVI-VI 線断面図である。
【図７】本発明に係る送受話器を使用する際に、補聴器を耳に装着した状態を示す斜視図である。
【符号の説明】
【００３２】
１…電話機用送受話器、６…受話部、７…正面部、７ａ…耳当部、７ｂ…第１の音声放出口、１１ａ…第２の音声放出口、１３…シャッター、１５…ホルダー、１９…係合部、２１…スピーカ、３０…耳、３１…補聴器、３２…音取入れ口。
【図１】
2008205775.tif 000003
【図２】
2008205775.tif 000004
【図３】
2008205775.tif 000005
【図４】
2008205775.tif 000006
【図５】
2008205775.tif 000007
【図６】
2008205775.tif 000008
【図７】
2008205775.tif 000009